【手続補正書】
【提出日】平成16年10月22日(2004.10.22)
【手続補正１】
【補正対象書類名】明細書
【補正対象項目名】特許請求の範囲
【補正方法】変更
【補正の内容】
【特許請求の範囲】
【請求項１】
情報を表示する表示手段を有する携帯端末機と、前記携帯端末機を特定し、少なくとも位置数値情報を当該携帯端末機に送信するＧＰＳインターフェース装置とを備え、前記ＧＰＳインターフェース装置は、ＧＰＳ情報に基づく位置数値情報と地図情報とに基づいて加工地図情報を形成すると共に当該加工地図情報を送信し、前記携帯端末機は当該加工地図情報を受信し表示することを特徴とするＧＰＳシステム。
【請求項２】
前記地図情報は、前記ＧＰＳインターフェース装置及び又は前記携帯端末機との間で通信接続する情報処理装置から選択して取得することを特徴とする、請求項１記載のＧＰＳシステム。
【請求項３】
前記地図情報は、前記ＧＰＳインターフェース装置と通信接続するサーバーからダウンロードすることを特徴とする、請求項１、又は２記載のＧＰＳシステム。
【請求項４】
前記ＧＰＳインターフェース装置は前記サーバーにＧＰＳ情報に基づく位置数値情報を送信し、前記サーバーは当該位置数値情報に対応する地図情報を当該ＧＰＳインターフェース装置にダウンロードすることを特徴とする、請求項３記載のＧＰＳシステム。
【請求項５】
前記携帯端末機を複数個有し、送信自在とすることを特徴とする、請求項１乃至４の何れか一つに記載のＧＰＳシステム。
【請求項６】
前記携帯端末機と前記ＧＰＳインターフェース装置との間の通信は携帯端末機を特定するＩＤ情報を含み、当該ＩＤ情報に基づいて携帯端末機を特定することを特徴とする、請求項１乃至５の何れか一つに記載のＧＰＳシステム。
【請求項７】
前記携帯端末機は指令手段を備え、当該指令手段は、当該携帯端末機の受信間隔を定める受信間隔指令を、前記ＧＰＳインターフェース装置に送信し、当該ＧＰＳインターフェース装置は、受信した受信間隔指令に基づいて当該携帯端末機への送信間隔を設定することを特徴とする、請求項１乃至６の何れか一つに記載のＧＰＳシステム。
【請求項８】
前記携帯端末機は指令手段を備え、当該指令手段は、最新情報要求指令を前記ＧＰＳインターフェース装置に送信し、当該ＧＰＳインターフェース装置は、受信した最新情報要求指令に基づいてＧＰＳ情報を取得し、当該ＧＰＳ情報に基づく位置数値情報、地図情報、又は加工地図情報の少なくとも何れか一つを当該携帯端末機に送信することを特徴とする、請求項１乃至６の何れか一つに記載のＧＰＳシステム。
【請求項９】
前記携帯端末機は指令手段を備え、当該指令手段は、初期化指令を前記ＧＰＳインターフェース装置に送信し、当該ＧＰＳインターフェース装置は、受信した初期化指令に基づいて少なくともＧＰＳ情報の取得処理を初期化することを特徴とする、請求項１乃至６の何れか一つに記載のＧＰＳシステム。
【請求項１０】
前記携帯端末機及び又は前記ＧＰＳインターフェース装置は、前記位置数値情報の経過ログ情報又は前記加工地図情報の経過ログ情報の少なくとも何れか一方を保存する記憶手段を備えることを特徴とする、請求項１乃至４の何れか一つに記載のＧＰＳシステム。
【請求項１１】
前記ＧＰＳインターフェース装置又は前記携帯端末機は、地図情報に付加情報を付加して付加地図情報を形成し、記憶手段に保存することを特徴とする、請求項１乃至４の何れか一つに記載のＧＰＳシステム。
【請求項１２】
前記携帯端末機及び又は前記ＧＰＳインターフェース装置は、前記記憶手段に保存する情報を情報処理装置に送信することを特徴とする、請求項１０又は１１に記載のＧＰＳシステム。
【請求項１３】
前記ＧＰＳインターフェース装置を複数個有し、前記携帯端末機は、複数のＧＰＳインターフェース装置から最も精度が高いＧＰＳインターフェース装置の位置数値情報又は加工地図情報を受信することを特徴とする、請求項１乃至１２の何れか一つに記載のＧＰＳシステム。
【請求項１４】
前記複数のＧＰＳインターフェース装置は各々個別の識別コードを有し、前記携帯端末機は、前記識別コードに基づいて少なくとも異なる二つ以上のＧＰＳインターフェース装置を識別し位置数値情報又は加工地図情報を受信することを特徴とする、請求項１３に記載のＧＰＳシステム。
【請求項１５】
前記地図情報は、目的地及び又は目的地までの経路を含むルート情報を有することを特徴とする、請求項１乃至１４の何れか一つに記載のＧＰＳシステム。
【請求項１６】
前記ルート情報を、前記ＧＰＳインターフェース装置又は情報処理装置が備える入力手段によって入力し、当該ＧＰＳインターフェース装置から携帯端末機に、又は当該情報処理装置から直接あるいはＧＰＳインターフェース装置を通して携帯端末機に送信することを特徴とする、請求項１５に記載のＧＰＳシステム。
【請求項１７】
前記ＧＰＳインターフェース装置又は前記携帯端末機は、前記ルート情報が定める所定範囲と位置数値情報に基づいて誘導指示情報を形成し、画像、音、振動の少なくとも何れか一つの表示形態によって報知することを特徴とする、請求項１５又は１６に記載のＧＰＳシステム。
【請求項１８】
前記携帯端末機は、腕時計に搭載、あるいは腕時計形状であることを特徴とする、請求項１乃至１７に記載の何れか一つに記載のＧＰＳシステム。
【請求項１９】
ＧＰＳインターフェース装置を制御して、ＧＰＳ情報の取得、当該ＧＰＳ情報に基づく位置数値情報の形成、及び少なくとも当該位置数値情報の特定する携帯端末機への送信の各処理を行わせ、前記携帯端末機を制御して、前記ＧＰＳインターフェース装置からの少なくとも位置数値情報の受信及び表示の処理を行わせることを特徴とする、ＧＰＳシステムの制御方法。
【請求項２０】
ＧＰＳインターフェース装置を制御して、ＧＰＳ情報の取得、当該ＧＰＳ情報に基づく位置数値情報の形成、情報処理手段からの地図情報の受信、前記位置数値情報と前記地図情報に基づく加工地図情報の形成、前記位置数値情報及び加工地図情報の少なくとも一つの情報の特定の携帯端末機への送信の各処理を行わせ、前記携帯端末機を制御して、前記ＧＰＳインターフェース装置から送信される情報の受信及び表示の処理を行わせることを特徴とする、ＧＰＳシステムの制御方法。
【手続補正２】
【補正対象書類名】明細書
【補正対象項目名】０００７
【補正方法】変更
【補正の内容】
【０００７】
この構成では、第１の電子機器は第２の電子機器を区別することなく情報を送信するため、第１の電子機器と第２の電子機器とからなる現在位置表示システムの各通信範囲が重なり、同一の通信範囲内に複数の現在位置表示システムが存在する場合には、異なる現在位置表示システム間において位置情報や地図情報が錯綜し、正確な位置の把握が困難となるという問題がある。
【手続補正３】
【補正対象書類名】明細書
【補正対象項目名】００３６
【補正方法】変更
【補正の内容】
【００３６】
情報処理装置４は、ＧＰＳインターフェース装置２あるいは携帯端末機３と通信する機能を備え、この通信機能を用いて地図情報をＧＰＳインターフェース装置２あるいは携帯端末機３に送信する他、ＧＰＳインターフェース装置２あるいは携帯端末機３が有するデータを受信する。情報処理装置４は、ＧＰＳインターフェース装置２（あるいは携帯端末機３）と通信するために、アンテナ４ａ及び送受信手段４ｂを備える。地図情報は地図情報記憶手段４ｄに格納され、演算処理４ｃ、送受信手段４ｂ及びアンテナ４ａを介してＧＰＳインターフェース装置２（あるいは携帯端末機３）に送信される。また、ＧＰＳインターフェース装置２（あるいは携帯端末機３）から送信されたデータは、アンテナ４ａ、送受信手段４ｂ及び演算処理４ｃを介して、図示しない記憶手段に格納する。なお、地図情報記憶手段４ｄは、ＣＤＲＯＭ等の記録媒体及びこの記録媒体からデータを読み出すドライバ装置の他、半導体記憶装置によって構成することができる。また、情報処理装置４は、情報処理装置４の動作をオン、オフする入力スイッチ４ｅを備える。
【手続補正４】
【補正対象書類名】図面
【補正対象項目名】図９
【補正方法】変更
【補正の内容】
【図９】
2003130940.tif 000001
【手続補正５】
【補正対象書類名】図面
【補正対象項目名】図１１
【補正方法】変更
【補正の内容】
【図１１】
2003130940.tif 000002
【手続補正６】
【補正対象書類名】図面
【補正対象項目名】図２２
【補正方法】変更
【補正の内容】
【図２２】
2003130940.tif 000003
【手続補正７】
【補正対象書類名】図面
【補正対象項目名】図２７
【補正方法】変更
【補正の内容】
【図２７】
2003130940.tif 000004
【手続補正８】
【補正対象書類名】図面
【補正対象項目名】図２９
【補正方法】変更
【補正の内容】
【図２９】
2003130940.tif 000005
【手続補正９】
【補正対象書類名】図面
【補正対象項目名】図３０
【補正方法】変更
【補正の内容】
【図３０】
2003130940.tif 000006
【手続補正１０】
【補正対象書類名】図面
【補正対象項目名】図３２
【補正方法】変更
【補正の内容】
【図３２】
2003130940.tif 000007
【手続補正１１】
【補正対象書類名】図面
【補正対象項目名】図３９
【補正方法】変更
【補正の内容】
【図３９】
2003130940.tif 000008
【手続補正１２】
【補正対象書類名】図面
【補正対象項目名】図４１
【補正方法】変更
【補正の内容】
【図４１】
2003130940.tif 000009
【手続補正１３】
【補正対象書類名】図面
【補正対象項目名】図４２
【補正方法】変更
【補正の内容】
【図４２】
2003130940.tif 000010